(57)【特許請求の範囲】
【請求項１】
室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画された空気調和装置において、
上記仕切板が設置される底板に、上記室内熱交換器を載置するドレンパンが配置され、上記仕切板には、上記ドレンパンとの間で上記底板にドレン水を流すドレン開口が形成され、上記ドレンパンには、上記ドレン開口に対向し、前記底板から前記ドレン開口を通じて前記室内側室に侵入した水が衝突する位置に凸部が形成されたことを特徴とする空気調和装置。
【請求項２】
上記室内側室には、室内ファンと仕切板との間に室内ファンケーシングを、前記底板から前記ドレン開口を通じて前記室内側室に侵入し前記凸部よりも前記室内側室に入った水が衝突し堰き止められるように設けたことを特徴とする請求項１に記載の空気調和装置。
【請求項３】
上記仕切板の下端に、上記室外側室側へ延在して取付フランジ部が形成され、この取付フランジ部が底板に固着されることで、上記仕切板が上記底板に設置されることを特徴とする請求項１又は２に記載の空気調和装置。
【請求項４】
上記底板には、仕切板の長手方向に延びる突起部が形成され、この突起部に上記仕切板の取付フランジ部が、上記突起部から室外側室側に延出した状態で固着されたことを特徴とする請求項３に記載の空気調和装置。
【発明の詳細な説明】
【０００１】
【発明の属する技術分野】
本発明は、室内熱交換器、室内ファン、室外熱交換器及び室外ファンが一体に設けられた空気調和装置に係り、風雨の侵入防止構造を備えた空気調和装置に関する。
【０００２】
【従来の技術】
空気調和装置には、室内熱交換器、室内ファン、室外熱交換器及び室外ファンが一体に設けられ、室内熱交換器及び室内ファンが配置された室内側室と、室外熱交換器及び室外ファンが配置された室外側室とが仕切板により画成された一体型の空気調和装置がある。
【０００３】
上記室内側室には、室内熱交換器を載置するドレンパンが設置される。このドレンパンは、上記仕切板を立設状態で固着する底板に配置される。この底板に、室外熱交換器が載置される。そして、冷房運転時に蒸発器として機能する室内熱交換器にて生成されたドレン水は、ドレンパンを経て、仕切板に形成されたドレン開口を通り底板に導かれて、外部に排水される。
【０００４】
【発明が解決しようとする課題】
上述のような空気調和装置では、室外側室が外気と連通しているため、例えばハリケーン等の暴風雨が室外側室に侵入し、この暴風雨が仕切板のドレン開口を経て室内側室に至り、室内に侵入してしまう恐れがある。
【０００５】
また、仕切板の下端には、室内側室方向へ延びる取付フランジ部が形成され、この取付フランジ部が底板に固着されることで、仕切板が底板に設置されている。
【０００６】
しかし、暴風雨時に空気調和装置の室外側室に侵入し、仕切板の室外側室に面する面に付着した雨水は落下して、仕切板の取付フランジ部と底板との間を通り室内側室へ侵入し、この室内側室から室内へ飛散してしまう恐れがある。
【０００７】
本発明の目的は、上述の事情を考慮してなされたものであり、激しい風雨が室内に侵入することを防止できる空気調和装置を提供することにある。
【０００８】
【課題を解決するための手段】
請求項１に記載の発明は、室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画された空気調和装置において、上記仕切板が設置される底板に、上記室内熱交換器を載置するドレンパンが配置され、上記仕切板には、上記ドレンパンとの間で上記底板にドレン水を流すドレン開口が形成され、上記ドレンパンには、上記ドレン開口に対向し、前記底板から前記ドレン開口を通じて前記室内側室に侵入した水が衝突する位置に凸部が形成されたことを特徴とする。
【０００９】
請求項２に記載の発明は、請求項１に記載の発明において、上記室内側室には、室内ファンと仕切板との間に室内ファンケーシングを、前記底板から前記ドレン開口を通じて前記室内側室に侵入し前記凸部よりも前記室内側室に入った水が衝突し堰き止められるように設けたことを特徴とする。
【００１０】
請求項３に記載の発明は、請求項１又は２に記載の発明において、上記仕切板の下端に、上記室外側室側へ延在して取付フランジ部が形成され、この取付フランジ部が底板に固着されることで、上記仕切板が上記底板に設置されることを特徴とする。
【００１１】
請求項４に記載の発明は、請求項３に記載の発明において、上記底板には、仕切板の長手方向に延びる突起部が形成され、この突起部に上記仕切板の取付フランジ部が、上記突起部から室外側室側に延出した状態で固着されたことを特徴とする。
【００１２】
請求項１に記載の発明には、次の作用がある。
【００１３】
室内熱交換器を載置して室内側室に配置されたドレンパンには、室内側室と室外側室とを区画する仕切板に形成されたドレン開口に対向する位置に凸部が設けられたことから、激しい風雨がドレン開口を通って室内側室へ侵入しても、この侵入を上記凸部によって防ぐことができる。この結果、、空気調和装置の室内側室を経て、激しい風雨が室内に侵入することを防止できる。
【００１４】
請求項２に記載の発明には、次の作用がある。
【００１５】
室内側室には、室内ファンと仕切板との間に室内ファンケーシングが配置され、この室内ファンケーシングに風雨が衝突可能に構成されたことから、仕切板のドレン開口を通って室内側室に侵入した激しい風雨が、ドレンパンの凸部に衝突せず、または衝突してもなおその勢いが衰えない場合でも、この風雨を室内ファンケーシングが防ぐことができる。この結果、空気調和装置の室内側室を経て、激しい風雨が室内に侵入することを確実に防止できる。
【００１６】
請求項３に記載の発明には、次の作用がある。
【００１７】
仕切板を底板に設置するために仕切板の下端に形成された取付フランジ部が、室外側室側へ延在して構成されたことから、激しい風雨が空気調和装置の室外側室に侵入して、仕切板の室外側室に面する面に雨水が付着して落下しても、この雨水は、室外側室側に延在する取付フランジ部によって底板の室外側室側に流れ落ち、室内側室側へ回り込んで侵入することが防止される。この結果、激しい風雨（特に雨水）が空気調和装置の室内側室を経て、室内に侵入することを防止できる。
【００１８】
請求項４に記載の発明には、次の作用がある。
【００１９】
仕切板の取付フランジ部が、底板の突起部から室外側室側に延出した状態でこの突起部に固着されたことから、激しい風雨が仕切板に衝突して、その雨水が、仕切板の室外側室に面する面に付着して落下しても、この雨水は、取付フランジ部の先端から底板の室外側室側に流れ落ち、室内側室側へ回り込むことが防止される。この結果、激しい風雨（特に雨水）が空気調和装置の室内側室を経て、室内に侵入することを防止できる。
【００２０】
【発明の実施の形態】
以下、本発明の実施の形態を、図面に基づき説明する。
【００２１】
図１は、本発明に係る空気調和装置の一実施の形態を示す外観斜視図である。
【００２２】
図２は、図１の空気調和装置においてキャビネットを省略して示す分解斜視図である。
【００２３】
これらの図１及び図２に示す空気調和装置１０は、建物の図示しない壁を貫通して設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００２４】
上述の室内熱交換器１１、クロスフローファン１２、室外熱交換器１３、プロペラファン１４及び圧縮機１５等は、底板１６上に配置されて空気調和装置本体１７を構成し、この空気調和装置本体１７の前方側（つまり室内熱交換器１１及びクロスフローファン１２の配置側）が前パネル１８で覆われ、後方側（つまり、室外熱交換器１３、プロペラファン１４及び圧縮機１５の配置側）がキャビネット１９により覆われて構成される。前パネル１８が、建物の室内に面して位置づけられる。また、キャビネット１９は、建物の壁を貫通して据え付けられるものであり、角筒（スリーブ）形状に形成されている。
【００２５】
図２乃至図４に示すように、上記空気調和装置本体１７においては、底板１６の前後方向略中央位置に仕切板２０が立設され、この仕切板２０は、底板１６の全幅方向に亘って延在される。この仕切板２０により、空気調和装置本体１７は、室内熱交換器１１及びクロスフローファン１２等が配置された室内側室２１と、室外熱交換器１３、プロペラファン１４及び圧縮機１５等が配置された室外側室２２とに区画される。従って、空気調和装置１０の前方に配置された前パネル１８は室内側室２１を覆い、また、空気調和装置１０の後方側に配置されたキャビネット１９は、室外側室２２の周囲を画成することになる。
【００２６】
上記底板１６の室外側室２２側に室外熱交換器１３、室外ファンケーシング２３、支持脚２４及び圧縮機１５が設置される。
【００２７】
この圧縮機１５は、室外熱交換器１３、減圧装置（不図示）及び室内熱交換器１１に図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００２８】
上記室外ファンケーシング２３は、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００２９】
上記プロペラファン１４の回転により、外気は、図４の矢印Ａに示すように、室外熱交換器１３両側の室外吸込口２８から室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００３０】
また、プロペラファン１４には、図３に示すように、各羽根の外周部に、これらの羽根を連結するスリンガリング３１が固着されている。空気調和装置１０の冷房運転時には、蒸発器として機能する室内熱交換器１１にドレン水が発生する。このドレン水は、後述のドレンパン３３に集水された後、仕切板２０の下端部に形成されたドレン開口４４を経て底板１６の貯溜部３２に貯溜される。上記スリンガリング３１は、プロペラファン１４の回転時に、貯溜部３２に溜まったドレン水を掻き上げ、このとき凝縮器として機能する室外熱交換器１３へ上記ドレン水を飛散させる。これにより、室外熱交換器１３の凝縮能力が向上する。
【００３１】
一方、上記底板１６の室内側室２１側にドレンパン３３が設置され、このドレンパン３３に室内熱交換器１１が載置される。また、前記仕切板２０は、室内側室２１側に開口を有する箱形状に形成され、この仕切板２０内に室内ファンケーシング３４が配置される。
【００３２】
この室内ファンケーシング３４は、仕切板２０の第１天面４１（後述）から湾曲してドレンパン３３に到り、この室内ファンケーシング３４の下端部に、室内熱交換器１１に隣接して電気ヒータ５５が設置される。また、湾曲する室内ファンケーシング３４の内側にクロスフローファン１２が配置される。従って、室内ファンケーシング３４は、仕切板２０とクロスフローファン１２との間に配置される。
【００３３】
クロスフローファン１２は、図４に示す室内駆動モータ３５により回転駆動され、これらのクロスフローファン１２及び室内駆動モータ３５が仕切板２０に支持される。上記室内ファンケーシング３４は、図３に示すように、室内側室２１側に室内循環室３６と外気導入室３７とを形成する。更に、室内側室２１には、図４に示すように、電装箱４５を収納する電装室４６が形成される。
【００３４】
図３に示すように、上記室内循環室３６内に、室内熱交換器１１、クロスフローファン１２、電気ヒータ５５が配置される。更に、この室内循環室３６内には、エアフィルタ３８及びスタビライザ３９が配置される。エアフィルタ３８は、前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気がクロスフローファン１２に良好に吸い込まれ、クロスフローファン１２から良好に吐出される。前パネル１８には、この吐出空気を建物の室内へ導く吹出グリル４３が、吸込グリル４０の上方に形成されている。
【００３５】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出グリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００３６】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００３７】
前記箱形状の仕切板２０には、第１天面４１よりも下段位置に、この第１天面４１に連設して第２天面４２が形成される。この第２天面４２は、室外側室２２の周囲を画成するキャビネット１９の内側に配置される。また、図４及び図５に示すように、第２天面４２に上記換気開口４８が、第２天面４２の長手方向に複数個、同一ピッチで並設されている。
【００３８】
上記第２天面４２には、多数の細穴５１を備えた上記換気シャッタ４９が載置される。これらの細穴５１は群毎にまとめられ、これら複数の細穴群５１Ａが、換気シャッタ４９の長手方向に同一ピッチで配置される。この細穴群５１Ａのピッチは、第２天面４２の換気開口４８のピッチと略同一に設定されている。
【００３９】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００４０】
図６に示すように、換気シャッタ４９のスライドにより、換気シャッタ４９の細穴群５１Ａが換気開口４８と一致した位置で換気開口４８が全開操作され、細穴群５１Ａが換気開口４８と一致せず、換気シャッタ４９が換気開口４８を塞ぐ位置でこの換気開口４８が全閉操作される。また、換気シャッタ４９のスライド位置によって、換気開口４８の開度が半開、２／３開など任意の位置に調整される。この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００４１】
ここで、換気開口４８は、室外側室２２側へ向かって下方に傾斜して構成される。これにより、第２天面４２とキャビネット１９との間の外気の流動面積が、第２天面４２が水平の場合に比べて拡大される。また、図６に示す換気シャッタ４９の細穴５１は、換気開口４８の開口面積に比べて著しく小さな穴径に形成される。これにより、この細穴５１は、エアフィルタの機能を果たし、例えば虫等の侵入を防止する穴径に設定される。
【００４２】
前記換気通気部５０Ａは、図５に示すように、室内ファンケーシング３４の下部に切り起こし処理等により複数の通気口５０が並設されて、鎧戸形状に形成されたものである。この換気通気部５０Ａは、仕切板２０のドレン開口４４に対応する位置を除いて、室内ファンケーシング３４の長手方向に複数設けられる。
【００４３】
図３に示すように、クロスフローファン１２の回転時には、室内循環室３６内におけるクロスフローファン１２の下方、つまり換気通気部５０Ａ近傍が負圧となる。このため、図３の矢印Ｃに示すように、換気シャッタ４９の細穴５１及び第２天面４２の換気開口４８を経て外気導入室３７内に導入された外気は、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出グリル４３から建物の室内へ導入され、この室内に新鮮な空気が供給される。
【００４４】
また、図５に示すように、換気シャッタ４９には、一端部に操作レバー５４が一体に結合されている。この操作レバー５４は、図２及び図６に示すように、室内熱交換器１１側へ延在して配設され、前パネル１８の取り外し時等に操作可能とされる。この操作レバー５４を水平方向に操作することによって、換気シャッタ４９がワイヤ等を介することなく直接スライドされ、換気開口４８の開度を全開または全閉操作する他、半開操作等のように換気開口４８の開度が任意に調整可能とされる。
【００４５】
ところで、図７及び図１０に示すように、仕切板２０の下端には、Ｌ字形状に屈曲されて、室外側室２２方向へ延在する取付フランジ部５６が形成されている。一方、底板１６には、仕切板２０の長手方向に直線上に延びる突起部５７が、絞り加工等により一体成形されている。そして、図１０に示すように、仕切板２０の取付フランジ部５６が、底板１６の突起部５７から室外側室２２方向へ延出した状態で、この突起部５７にビス６１等を用いて固定されることにより、仕切板２０が底板１６に立設される。
【００４６】
これにより、例えばハリケーン等の暴風雨の雨水が室外側室２２内を通り、図１０の矢印Ｄに示すように、仕切板２０の室外側室２２側の面６２に付着して流れ落ちても、この雨水は、室外側室２２方向へ延出した取付フランジ部５６の先端から室外側室２２側の底板１６に流れ落ち、取付フランジ部５６と底板１６の突起部５７との間を経て室内側室２１内へ侵入することが防止される。
【００４７】
また、仕切板２０の取付フランジ部５６が底板１６の突起部５７よりも室外側室２２方向へ延出されたことから、底板１６の室外側室２２に貯溜されたドレン水が、例えばハリケーン等の暴風雨の風によって波立ち、図１０の矢印Ｅに示すよう、底板１６の突起部５７を乗り越えて室内側室２１内へ侵入しようとしても、このドレン水の侵入が、仕切板２０の取付フランジ部５６によって堰き止められる。
【００４８】
図７に示すように、仕切板２０の下端には、この仕切板２０の長手方向中央位置に、前述のドレン開口４４が形成されている。仕切板２０の下端で、このドレン開口４４が形成されている位置には、上記取付フランジ部５６が形成されていない。
【００４９】
図８に示すように、底板１６に配置されるドレンパン３３には、仕切板２０及びドレンパン３３が底板１６に設置された状態で、仕切板２０のドレン開口４４内に挿入されるドレン舌片部５８が一体成形されている。図９に示すように、このドレン舌片部５８とドレン開口４４とにより、ドレンパン３３から底板１６の貯溜部３２へ流れるドレン水のドレン流路５９が形成される。
【００５０】
また、ドレンパン３３には、仕切板２０のドレン開口４４に対抗する位置、つまりドレン舌片部５８に対応する外気導入室３７内位置に凸部６０が一体に形成される。この凸部６０の位置及び寸法は、例えばハリケーン等の暴風雨が、図９の矢印Ｆに示すようにドレン流路５９から侵入した時、この風雨が衝突し得る位置及び大きさに設定される。
【００５１】
図３に示すように、室内側室２１を外気導入室３７と室内循環室３６とに区画する室内ファンケーシング３４には、換気通気部５０Ａが複数形成されているが、この換気通気部５０Ａは、図５に示すように、仕切板２０のドレン開口４４及びドレンパン３３の凸部６０に対応する部分には形成されず、この部分が風雨衝突部６３とされる。
【００５２】
従って、図９の矢印Ｆに示すように、例えばハリケーン等の暴風雨は、ドレン流路５９を経て室内側室２１の外気導入室３７へ侵入し、ドレンパン３３の凸部６０に衝突した後、またはこの凸部６０に衝突することなく、室内ファンケーシング３４の風雨衝突部６３に衝突する。これにより、暴風雨が風雨衝突部６３に堰き止められて、室内循環室３６内に侵入することが確実に防止される。
【００５３】
上述のように、仕切板２０の取付フランジ部５６、底板１６の突起部５７、ドレンパン３３の凸部６０及び室内ファンケーシング３４の風雨衝突部６３を有して、雨水侵入防止構造が構成されたことから、次の効果▲１▼〜▲４▼を奏する。
【００５４】
▲１▼室内熱交換器１１を載置して室内側室２１に配置されたドレンパン３３には、室内側室２１と室外側室２２とを区画する仕切板２０に形成されたドレン開口４４に対抗する位置に凸部６０が設けられたことから、ハリケーン等の暴風雨が、ドレン開口４４等により形成されたドレン流路５９を通って室内側室２１の外気導入室３７へ侵入しても、この侵入を上記凸部６０によって防ぐことができる。この結果、空気調和装置１０の室内側室２１を経て、暴風雨が室内に侵入することを防止できる。
【００５５】
▲２▼空気調和装置１０の室内側室２１には、クロスフローファン１２と仕切板２０との間に室内ファンケーシング３４が配置され、この室内ファンケーシング３４の風雨衝突部６３に暴風雨が衝突可能に構成されたことから、仕切板２０のドレン開口４４等により形成されたドレン流路５９を通って室内側室２１の外気導入室３７に侵入した暴風雨が、ドレンパン３３の凸部６０に衝突せず、または衝突してもなおその勢いが衰えない場合でも、この暴風雨を室内ファンケーシング３４の風雨衝突部６３が堰き止める。この結果、空気調和装置１０の室内側室２１を経て、暴風雨が室内に侵入することを確実に防止できる。
【００５６】
▲３▼仕切板２０の取付フランジ部５６が、底板１６の突起部５７から室外側室２２方向に延出した状態でこの突起部５７に固着されたことから、暴風雨が仕切板２０に衝突して、その雨水が、仕切板２０の室外側室２２に面する面６２に付着して落下しても、この雨水は、取付フランジ部５６の先端から底板１６の室外側室２２側に流れ落ち、室内側室２１側へ回り込むことが防止される。この結果、暴風雨（特に雨水）が空気調和装置１０の室内側室２１を経て室内に侵入することを防止できる。
【００５７】
▲４▼仕切板２０の取付フランジ部５６が底板１６の突起部５７よりも室外側室２２側へ延出されたことから、底板１６に貯溜されたドレン水が、例えばハリケーン等の暴風雨によって波立っても、上記取付フランジ部５６により堰き止められて、突起部５７を乗り越え、この突起部５７と取付フランジ部５６との間から室内側室２１側へ侵入することを防止できる。
【００５８】
以上、本発明を上記実施の形態に基づいて説明したが、本発明はこれに限定されるものではない。
【００５９】
【発明の効果】
請求項１乃至４に記載の発明に係る空気調和装置によれば、暴風雨時の風雨が室内に侵入することを防止できる。
【図面の簡単な説明】
【図１】本発明に係る空気調和装置の一実施の形態を示す外観斜視図である。
【図２】図１の空気調和装置においてキャビネットを省略して示す分解斜視図である。
【図３】図１の空気調和装置の縦断面図である。
【図４】図１の空気調和装置においてキャビネットを省略して示す平面図である。
【図５】図２の仕切板、クロスフローファン及び換気装置等を示す分解斜視図である。
【図６】図５の換気装置等を組み付けた状態を示す図４に対応した平面図である。
【図７】図２の底板、ドレンパン及び仕切板を示す分解斜視図である。
【図８】図２の底板、ドレンパン及び室内熱交換器を組み付けた状態を示す斜視図である。
【図９】図７のIX−IX線に沿って切断し、図３のIX部を拡大して示す断面図である。
【図１０】図７のX−X線に沿う断面図である。
【符号の説明】
１０  空気調和装置
１１  室内熱交換器
１２  クロスフローファン（室内ファン）
１３  室外熱交換器
１４  プロペラファン（室外ファン）
２０  仕切板
２１  室内側室
２２  室外側室
３４  室内ファンケーシング
３３  ドレンパン
３４  室内ファンケーシング
３６  室内循環室
３７  外気導入室
４４  ドレン開口
５０Ａ  換気通気部
５６  取付フランジ部
５７  突起部
５９  ドレン流路
６０  凸部
６３  風雨衝突部
【図１】
0004841072.tif 000002
【図２】
0004841072.tif 000003
【図３】
0004841072.tif 000004
【図４】
0004841072.tif 000005
【図５】
0004841072.tif 000006
【図６】
0004841072.tif 000007
【図７】
0004841072.tif 000008
【図８】
0004841072.tif 000009
【図９】
0004841072.tif 000010
【図１０】
0004841072.tif 000011